(57)【要約】【課題】画面サイズ毎にテレビジョン受像機の制御用基板のレイアウトが変わっても、イアウト毎にＤＶＤユニットとＭＰＥＧ基板の配置や、シールドケースの形状を変更する必要もなく互換性を持たせる。【解決手段】ＤＶＤユニット３とＭＰＥＧ基板５を水平方向に並べてシールドケース１０に固定して一体化する。シールドケース１０をパネルカバー１６に固定する。これにより、ＭＰＥＧ基板５やＭＰＥＧ基板５に接続するフラットケーブルから輻射される高周波ノイズをシールドケース１０とパネルカバー１６で遮断して、高周波ノイズを低減できる。また、画面サイズの異なる機種において、デシタルジョンの制御用基板のレイアウトが異なる場合であってＤＶＤユニット３とＭＰＥＧ基板５をユニット化することで、制御用基板のレイアウトに拘らず自由に配置することが可能となる。【選択図】図１
2008085563.tif 000002
【特許請求の範囲】
【請求項１】
表示装置に光ディスクの記録又は再生を行うＤＶＤユニットを内蔵した複合型表示装置において、前記ＤＶＤユニットと、このＤＶＤユニットの制御用基板を取り付けるシールドケースを設け、このシールドケースは、取付面となる底面と、前記ＤＶＤユニットにおけるディスク挿入口の対向面を開口した箱型を成し、そのシールドケースに前記ＤＶＤユニットと、制御用基板とを固定して一体的にユニットした後、前記表示装置の表示手段を固定するパネルカバーに前記シールドケースを固定したことを特徴とする複合型表示装置。
【請求項２】
前記ＤＶＤユニットと制御用基板とを水平方向に隣接させて前記シールドケースに固定したことを特徴とする請求項１記載の複合型表示装置。
【請求項３】
前記請求項１及び２記載の複合型表示装置の製造方法であって、前記シールドケースに前記ＤＶＤユニットと制御用基板とを固定して一体的にユニット化する組立工程と、前記パネルカバーの背面に前記表示装置を制御する各種制御基板及び前記ユニットした前記シールドケースを前記パネルカバーの背面に固定する組立工程と、これらの組立工程を経てユニットした表示パネルのパネルカバーをフロントキャビネットに固定した後、そのフロントキャビネットにバックキャビネットを固定する組立工程を有することを特徴とする複合型表示装置の製造方法。
【発明の詳細な説明】
【技術分野】
【０００１】
本発明は、表示手段として、例えば液晶パネルやプラズマディスプレイ（Ｐｌａｓｍａ  Ｄｉｓｐｌａｙ  Ｐａｎｅｌ、以下ＰＤＰと略す）型などの薄型表示パネルを用いる表示装置に光ディスクの記録又は再生を行うＤＶＤユニットを内蔵した複合型表示装置及びその製造方法に関する。
【背景技術】
【０００２】
従来から、光ディスクによる記憶あるいは再生が可能なＤＶＤユニットをテレビジョン受像機などの表示装置に内蔵した複合型表示装置が種々開発されているが、このようにＤＶＤユニットをテレビジョン受像機のキャビネット内に収納する場合、ＤＶＤユニットが、動画となるデジタル画像信号の処理を行うことから、極めて大きいレベルのノイズを輻射し、そのノイズ対策は極めて重要である。このようなＤＶＤユニットとテレビジョン受像機とを一体化した複合型表示装置におけるノイズを低減する技術として特許文献１には、ＤＶＤユニットとテレビ回路基板とを電気的に接続する経路を介してＤＶＤ装置の側から流れ出すノイズ成分を低減するフィルタ基板を設け、このＤＶＤ装置とフィルタ基板とをシールドケースで覆ったＤＶＤ装置内蔵型テレビジョンが提案されている。
【０００３】
【特許文献１】実用新案登録第３０７５８０８号公報
【発明の開示】
【発明が解決しようとする課題】
【０００４】
特許文献１に示すＤＶＤ装置内蔵型テレビジョンは、シールドケースが、略平面状の金属板からなるシールド台座と、シールド台座に取り付けられるシールドカバーとからなり、ＤＶＤ装置とフィルタ基板とがシールド台座上で互いに近接して配置した状態で固定し、そのシールド台座にシールドカバーを固定してＤＶＤ装置とフィルタ基板とを覆っていることから、シールドケースとして２つのシールドケースとシールドカバーが必要であり、組付部品点数が多く、コストの上昇を招くとともに、組み付け時において、フィルタ基板とテレビ回路基板とをシールド台座を挟んで、互いに平行に配置し、フィルタ基板とテレビ回路基板とを金属ピンを介して、電気的に接続されるようになっている。このため、テレビ回路基板に対するフィルタ基板を含むＤＶＤ装置及びこれらを覆うシールドケースの相対的な位置関係は変更することが不可能である。しかし、この種のＤＶＤ装置内蔵型テレビジョンは、通常、その画面サイズは例えば１７インチ〜４２インチまで複数種が存在するものの、内蔵するＤＶＤ装置は画面のインチ数が変わっても基本的に共通である。しかし、内部に配置する各種回路基板は、画面のインチ数が変われば、当然、キャビネットの大きさに応じて回路基板のレイアウトが変わることから、テレビ回路基板に対してＤＶＤ装置の位置が固定される特許文献１の構造では、テレビ回路基板に対するフィルタ基板の位置を変えることができないため、フィルタ基板を含むＤＶＤ装置の位置を自由に設定できないから、基板のレイアウトやＤＶＤ装置の位置といった設計の自由度が制限されるばかりでなく、最悪の場合、各画面サイズに応じて、専用のシールド台座にシールドカバーを用意する必要もあり、互換性に劣る面がある。さらに、ＤＶＤ装置には、像音声信号を符号化及び又は複合化させる一般にＭＰＥＧ（Ｍｏｖｉｎｇ  Ｐｉｃｔｕｒｅ  Ｅｘｐｅｒｔｓ  Ｇｒｏｕｐ）規格に基づく回路を搭載したＭＰＥＧ基板を備えており、特許文献１は、ＭＰＥＧ基板に相当するＤＶＤ装置の基板がＤＶＤ装置の上部に水平に配置され、このＤＶＤ装置の基板（ＭＰＥＧ基板）及びフィルタ基板を覆うシールドカバーの高さ寸法が大きくなるため、薄型表示パネルを用いる表示装置にとっては、装置の薄型化を図る上で不利であった。
【０００５】
本発明は上述した問題点に鑑みてなされたものであり、組み付け部品点数を削減して組み付け作業を簡略化することができるとともに、画面サイズに拘らずＤＶＤユニットの配置を自由に設定可能であり、かつ、装置の薄型化を図ることができる複合型表示装置及びその製造方法を提供することを目的とする。
【課題を解決するための手段】
【０００６】
請求項１の複合型表示装置は、表示装置に光ディスクの記録又は再生を行うＤＶＤユニットを内蔵した複合型表示装置において、前記ＤＶＤユニットと、このＤＶＤユニットの制御用基板を取り付けるシールドケースを設け、このシールドケースは、取付面となる底面と、前記ＤＶＤユニットにおけるディスク挿入口の対向面を開口した箱型を成し、そのシールドケースに前記ＤＶＤユニットと、制御用基板とを固定して一体的にユニットした後、前記表示装置の表示手段を固定するパネルカバーに前記シールドケースを固定したことを特徴とする。
【０００７】
請求項１の構成により、ＤＶＤユニットとＭＰＥＧ基板がシールドケースとパネルカバーで覆われ、ＭＰＥＧ基板及びそのＭＰＥＧ基板とＤＶＤユニットとを接続するフラットケーブルから輻射される高周波ノイズがシールドケースとパネルカバーで遮蔽される。
【０００８】
請求項２の複合型表示装置は、前記ＤＶＤユニットと制御用基板とを水平方向に隣接させて前記シールドケースに固定したことを特徴とする。
【０００９】
請求項２の構成により、ＤＶＤユニットと制御用基板を固定するシールドケースの高さ寸法を低く抑えられる。
【００１０】
請求項３の複合型表示装置の製造方法は、前記請求項１及び２記載の複合型表示装置の製造方法であって、前記シールドケースに前記ＤＶＤユニットと制御用基板とを固定して一体的にユニット化する組立工程と、前記パネルカバーの背面に前記表示装置を制御する各種制御基板及び前記ユニットした前記シールドケースを前記パネルカバーの背面に固定する組立工程と、これらの組立工程を経てユニットした表示パネルのパネルカバーをフロントキャビネットに固定した後、そのフロントキャビネットにバックキャビネットを固定する組立工程を有することを特徴とする。
【００１１】
請求項３の構成により、画面サイズの異なる機種において、複合型表示装置を制御するデシタル回路基板や電源基板、インバータ回路基板などのレイアウトが異なる場合であっても、ユニットしたＤＶＤユニットとＭＰＥＧ基板は、それ自体、単体としてあらゆるレイアウトに対応でき、レイアウト毎にＤＶＤユニットとＭＰＥＧ基板の配置やシールドケースの形状を変更する必要もなく、共通化することが可能となる。
【発明の効果】
【００１２】
請求項１の複合型表示装置によれば、表示装置に光ディスクの記録又は再生を行うＤＶＤユニットを内蔵した複合型表示装置において、前記ＤＶＤユニットと、このＤＶＤユニットの制御用基板を取り付けるシールドケースを設け、このシールドケースは、取付面となる底面と、前記ＤＶＤユニットにおけるディスク挿入口の対向面を開口した箱型を成し、そのシールドケースに前記ＤＶＤユニットと、制御用基板とを固定して一体的にユニットした後、前記表示装置の表示手段を固定するパネルカバーに前記シールドケースを固定したものであるから、ＭＰＥＧ基板及びそのＭＰＥＧ基板とＤＶＤユニットとを接続するフラットケーブルから輻射される高周波ノイズをシールドケースとパネルカバーで遮蔽して、外部に輻射される高周波ノイズを低減することができる。また、表示手段を固定するパネルカバーをシールドケースの一部として兼用することで、組付け部品点数を低減でき、組付け作業の効率化が図れるとともに、コストの削減も可能となる。
【００１３】
請求項２の複合型表示装置によれば、前記ＤＶＤユニットと制御用基板とを水平方向に隣接させて前記シールドケースに固定したものであるから、シールドケースの高さ寸法を低く抑えることで、複合型表示装置の薄型化にも有利である。さらに、ＤＶＤユニットのピックアップユニットとＭＰＥＧ基板に実装するＭＰＥＧ  ＩＣとの距離も短くて済むことから、映像音声信号の劣化も少ないとともに、シールドケースによってピックアップユニットへの埃や塵などの付着も防止でき、ピックアップユニットによる読み取り不良なども防止することができる。
【００１４】
請求項３の複合型表示装置の製造方法によれば、前記請求項１及び２記載の複合型表示装置の製造方法であって、前記シールドケースに前記ＤＶＤユニットと制御用基板とを固定して一体的にユニット化する組立工程と、前記パネルカバーの背面に前記表示装置を制御する各種制御基板及び前記ユニットした前記シールドケースを前記パネルカバーの背面に固定する組立工程と、これらの組立工程を経てユニットした表示パネルのパネルカバーをフロントキャビネットに固定した後、そのフロントキャビネットにバックキャビネットを固定する組立工程を有するものであるから、画面サイズ毎に表示装置を制御する各種制御基板のレイアウトが異なる場合であってもユニット化したＤＶＤユニットとＭＰＥＧ基板及びそのシールドケースを共通化でき、互換性にも優れる。
【発明を実施するための最良の形態】
【００１５】
以下、本発明を実施するための最良の形態としての一実施例を図１〜図６により以下に説明する。もちろん、本発明は、その発明の趣旨に反さない範囲で、実施例において説明した以外のものに対しても容易に適用可能なことは説明を要するまでもない。
【００１６】
図１は本発明の一実施例を示す複合型表示装置の正面図、図２はＤＶＤユニットとＭＰＥＧ基板及びシールドケースの分解斜視図、図３は液晶パネル廻りの分解斜視図、図４は液晶パネルに対する組付け部品の取り付け状態を示す分解斜視図、図５はフロントキャビネットに対する組付け部品の取り付け状態を示す分解斜視図、図６はバックキャビネットの取り付け状態を示す分解斜視図である。図１に示すように、１は液晶型表示装置２にＤＶＤユニット３を内蔵する複合型表示装置（複合型テレビジョン）であり、そのキャビネット４の側面に前記ＤＶＤユニット３のディスク挿入口３ａが設けられている。
【００１７】
前記ＤＶＤユニット３は、光ディスクを装置内部において回転させ、この回転した状態の光ディスクの記録面にピックアップユニットより照射するレーザー光を当接し、前記光ディスクの記録面より反射したレーザー光を前記ピックアップユニットによって受光することで光ディスクに予め記録されている情報の読み込み再生、或いは光ディスクへ情報を書き込み記録する機能を有する従来から周知の構造であり、図示はしないがピックアップユニットやこのピックアップユニットをディスクの半径方向へと進退自在に移動させるモータ及び該モータの駆動をピックアップユニットに伝達するためのギア機構などをシャーシに組みて一体したトラバースユニットを内蔵する。また、ＤＶＤユニット３には、前記ディスク挿入口３ａを介して前記ピックアップユニットによる読み取り位置とディスク装着位置との間を往復動自在に移動するためのスロットイン機構やディスクの往復動に連動して読み取り位置でトラバースユニットを昇降させるローディング機構などを備えている。
【００１８】
５は、前記ＤＶＤユニット３のローディング機構やスロットイン機構などの制御及びＤＶＤユニット３の信号処理を行う制御用基板としてのＭＰＥＧ基板であり、このＭＰＥＧ基板５とＤＶＤユニット３をシールドケース１０に組み付けてユニットしている。シールドケース１０は、底面と前記ＤＶＤユニット３のディスク挿入口３ａ側となる一側面を開放した箱型を成し、そのシールドケース１０の天板裏面と左右両側壁下端縁から内側に向かって切り起し形成した取付片１１にねじ孔１２が形成されている。そして、前記ねじ孔１２に前記ＤＶＤユニット３とＭＰＥＧ基板５とをねじ１３によって固定することにより、ＤＶＤユニット３とＭＰＥＧ基板５及びシールドケース１０が一体的にユニット化される。なお、シールドケース１０内のＤＶＤユニット３とＭＰＥＧ基板５は相互に近接して水平方向に並んで固定され、そのＤＶＤユニット３に組み込まれた回路基板（図示せず）とＭＰＥＧ基板５とがフレキシブルなフラットケーブル（図示せず）によって電気的に接続されている。
【００１９】
前記液晶型表示装置２は表示手段として液晶パネル１５を備え、この液晶パネル１５を固定するパネルカバー１６は液晶パネル１５の背面と側周面を覆ってねじ１６ａによって液晶パネル１５を固定する。パネルカバー１６の背面には、液晶型表示装置２を制御するデシタル回路基板１７、電源基板１８、インバータ回路基板１９と共に前記シールドケース１０によって一体的にユニット化されたＤＶＤユニット３とＭＰＥＧ基板５とが固定されている。また、パネルカバー１６には、前記デシタル回路基板１７とインバータ回路基板１９を覆うシールドカバー２０，２１が固定され、これら液晶型表示装置２を制御する各種構成部品を複数のねじ２５ａによってフロントキャビネット４ａに固定する。また、フロントキャビネット４ａには左右のスピーカ２７、各種操作ボタン２８を固定するボタン取付フレーム２９などが固定されている。なお、図４及び図５において、符号３０は外部機器と接続するために前記電源基板１８に実装される入出力端子、３１は入出力端子３０をフロントキャビネット４ａに固定するためのプレート、３２は前記操作ボタン２８を実装する回路基板、図６において４ｂはフロントキャビネット４ａに固定されるバックキャビネット、３５はスタンドである。
【００２０】
以上のように構成される本実施例では、図２に示すように、シールドケース１０を反転させて開口した底面を上に向けた状態でＤＶＤユニット３とＭＰＥＧ基板５とを水平方向に並べてねじ１３によってシールドケース１０に固定してユニット化する。また、図３に示すように、パネルカバー１６に液晶パネル１５をねじ１６ａによって固定した後、パネルカバー１６の背面に液晶型表示装置２を制御するデシタル回路基板１７、電源基板１８、インバータ回路基板１９をねじ２５によって固定してユニットする。なお、前記デシタル回路基板１７とインバータ回路基板１９の表面側にシールドカバー２０，２１を配置し、そのシールドカバー２０，２１でデシタル回路基板１７とインバータ回路基板１９を覆った状態でパネルカバー１６に固定される。さらに、前記パネルカバー１６の背面には、デシタル回路基板１７、電源基板１８、インバータ回路基板１９と共に前記ＤＶＤユニット３とＭＰＥＧ基板５を固定したシールドケース１０を固定する。このシールドケース１０は、開口した底面をパネルカバー１６に向けて固定することで、ＤＶＤユニット３とＭＰＥＧ基板５がシールドケース１０とパネルカバー１６とで覆われる。なお、本実施例では、ＤＶＤユニット３の一部をインバータ回路基板１９に重ねた状態でＤＶＤユニット３とＭＰＥＧ基板５のシールドケース１０を取り付ける。こうして、液晶パネル１５を固定するパネルカバー１６に液晶型表示装置２を制御するデシタル回路基板１７、電源基板１８、インバータ回路基板１９とＤＶＤユニット３及びＭＰＥＧ基板５と固定した後、スピーカ２７などをフロントキャビネット４ａに固定した後、フロントキャビネット４ａにバックキャビネット４ｂ及びスタンド３５を固定することによって複合型表示装置１の組み立て作業が完了する。
【００２１】
以上のように構成される本実施例は、ＤＶＤユニット３と、このＤＶＤユニット３を制御するＭＰＥＧ基板５をシールドケース１０に固定してユニット化し、そのシールドケース１０をパネルカバー１６に固定することで、ＤＶＤユニット３とＭＰＥＧ基板５がシールドケース１０とパネルカバー１６とで覆われ、ＭＰＥＧ基板５及びそのＭＰＥＧ基板５とＤＶＤユニット３とを接続するフラットケーブルから輻射される高周波ノイズがシールドケース１０とパネルカバー１６で遮蔽される。これにより、外部に輻射される高周波ノイズを低減することができる。さらに、液晶パネル１５を固定するパネルカバー１６をシールドケース１０の一部として兼用することで、組付け部品点数を低減でき、組付け作業の効率化が図れるとともに、コストの削減も可能となる。また、ＤＶＤユニット３とＭＰＥＧ基板５とをシールドケース１０に固定して一体化することにより、画面サイズの異なる機種において、デシタル回路基板１７、電源基板１８、インバータ回路基板１９のレイアウトが異なる場合であっても、ユニットしたＤＶＤユニット３とＭＰＥＧ基板５は、それ自体、単体としてあらゆる基板レイアウトに対応でき、レイアウト毎にＤＶＤユニット３とＭＰＥＧ基板５との配置や、そのシールドケース１０の形状を変更する必要もない。したがって、画面サイズが異なる場合であってもユニット化したＤＶＤユニット３とＭＰＥＧ基板５及びそのシールドケース１０を共通化でき、互換性にも優れる。また、ＤＶＤユニット３とＭＰＥＧ基板５を相互に近接させて水平方向に並べてシールドケース１０に固定することにより、ＭＰＥＧ基板５とＤＶＤユニット３とを接続するフラットケーブルを可及的に短く、かつ直線的に配置できるから、フラットケーブルから輻射されるノイズを低減でき、かつ、ＤＶＤユニット３のピックアップユニットとＭＰＥＧ基板５に実装するＭＰＥＧ  ＩＣとの距離も短くて済むから映像音声信号の劣化も少ない。また、シールドケース１０によってピックアップユニットへの埃や塵などの付着も防止できるから、ピックアップユニットによる読み取り不良なども防止することができる。さらに、ＤＶＤユニット３とＭＰＥＧ基板５を水平方向に並べてシールドケース１０に固定することで、シールドケース１０の高さ寸法も抑えられるから、液晶型表示装置２の薄型化にも有利である。
【００２２】
以上、本実施例について詳述したが、本発明は、前記実施例に限定されるものではなく、本発明の要旨の範囲内で種々の変形実施が可能である。例えば、シールドカバーの形状やデシタル回路基板、電源基板、インバータ回路基板などのレイアウトを含む液晶型表示装置の基本的構造は前記実施例に限定されるものではなく、適宜選定すればよい。
【図面の簡単な説明】
【００２３】
【図１】本発明の一実施例を示す複合型表示装置の正面図である。
【図２】同上、ＤＶＤユニットとＭＰＥＧ基板及びシールドケースの分解斜視図である。
【図３】同上、液晶パネル廻りの分解斜視図である。
【図４】同上、液晶パネルに対する組付け部品の取り付け状態を示す分解斜視図である。
【図５】同上、フロントキャビネットに対する組付け部品の取り付け状態を示す分解斜視図である。
【図６】同上、バックキャビネットの取り付け状態を示す分解斜視図である。
【符号の説明】
【００２４】
１      複合型表示装置
２      液晶型表示装置
３      ＤＶＤユニット
３ａ    ディスク挿入口
４      キャビネット
４ａ    フロントキャビネット
４ｂ    バックキャビネット
５      ＭＰＥＧ基板（制御用基板）
１０    シールドケース
１５    液晶パネル（表示手段）
１６    パネルカバー
１７    デシタル回路基板
１８    電源基板
１９    インバータ回路基板
【図１】
2008085563.tif 000003
【図２】
2008085563.tif 000004
【図３】
2008085563.tif 000005
【図４】
2008085563.tif 000006
【図５】
2008085563.tif 000007
【図６】
2008085563.tif 000008